(57)【特許請求の範囲】
【請求項１】
ネットワークを構成する複数の通信装置を複数の管理ドメインに分け、各管理ドメインをそれぞれ管理する装置管理システムと、各装置管理システムを統合して管理するネットワーク管理システムとを設けたネットワークシステム上で、それぞれ別個の管理ドメインに存在する複数の通信装置により構成される仮想的な閉域ユーザグループを管理する方法であって、
上記ネットワーク管理システムでは、上記閉域ユーザグループの識別番号毎に、当該閉域ユーザグループを構成する通信装置の識別番号と、当該通信装置を管理する装置管理システムの識別番号を対応付けて第１のテーブルに予め登録し、
上記装置管理システムでは、自システムが管理する通信装置の識別番号毎および当該通信装置の各インタフェースの識別番号毎に、当該通信装置が所属する閉域ユーザグループの識別番号と当該インタフェースで当該通信装置に接続される１以上のユーザ端末の識別番号を対応付けて第２のテーブルに予め登録し、
上記ネットワーク管理システムは、上記第１のテーブルを参照して、管理対象の閉域ユーザグループに属する各通信装置を検索し、検索した各通信装置を管理するそれぞれの装置管理システムに対して管理情報の取得を要求し、上記装置管理システムは、上記ネットワーク管理システムから要求された各通信装置の管理情報を取得して上記ネットワーク管理システムに応答することにより、
上記ネットワーク管理システムと上記各管理ドメインを管理する装置管理システムの組み合わせのみで、閉域ユーザグループネットワークの構成または状態、あるいは故障を管理することを特徴とする閉域ユーザグループネットワーク管理方法。
【請求項２】
請求項１に記載の閉域ユーザグループネットワーク管理方法において、
前記ネットワーク管理システムが、閉域ユーザグループネットワークの状態管理として、任意の閉域ユーザグループに属する全ての通信装置のインタフェースの状態情報を収集する場合には、閉域ユーザグループの識別番号をキーとして上記第１のテーブルを参照して構成通信装置を検索し、検索結果である通信装置の識別番号に対応する識別番号の装置管理システムに対して情報取得を要求し、
該装置管理システムは、該情報取得の要求を受信すると、上記第２のテーブルを参照して、自管理ドメイン内の指定された通信装置の識別番号毎に閉域ユーザグループの識別番号をキーにインタフェースの識別番号を検索し、該当通信装置にインタフェースの状態の情報取得を要求して、該通信装置から取得した結果を上記ネットワーク管理システムに応答し、
該ネットワーク管理システムは、該当する全ての装置管理システムから通信装置のインタフェース状態を取得して、閉域ユーザグループネットワークの状態を管理することを特徴とする閉域ユーザグループネットワーク管理方法。
【請求項３】
請求項１に記載の閉域ユーザグループネットワーク管理方法において、
前記ネットワーク管理システムが、閉域ユーザグループネットワークの構成管理として、任意の閉域ユーザグループに属する全てのユーザ端末のＭＡＣアドレス情報を収集する場合には、上記第１のテーブルを参照し、閉域ユーザグループの識別番号をキーとして構成通信装置を検索し、検索結果である通信装置の識別番号に対応する識別番号の装置管理システムに対して情報取得を要求し、
該装置管理システムは、該情報取得の要求を受信すると、上記第２のテーブルを参照し、自管理ドメイン内の指定された通信装置の識別番号毎に閉域ユーザグループ番号をキーにインタフェースの識別番号を検索し、検索結果であるインタフェースの識別番号に対応するユーザ端末のＭＡＣアドレスを上記ネットワーク管理システムに応答し、
該ネットワーク管理システムは、該当する全ての装置管理システムから閉域ユーザグループに属する全ユーザ端末のＭＡＣアドレス情報を取得して、閉域ユーザグループネットワークの構成を管理することを特徴とする閉域ユーザグループネットワーク管理方法。
【請求項４】
請求項１に記載の閉域ユーザグループネットワーク管理方法において、
前記ネットワーク管理システムが、閉域ユーザグループネットワークの故障を管理する場合には、
任意の装置管理システムは、上記ネットワーク管理システムから通信装置の識別番号とインタフェースの識別番号を含む装置アラームを受信すると、該通信装置の識別番号とインタフェースの識別番号をキーにして上記第２のテーブルを参照して該当する閉域ユーザグループの識別番号を検索し、検索結果である閉域ユーザグループの識別番号を上記装置アラーム情報に付加して上記ネットワーク管理システムに通知し、
該ネットワーク管理システムは、上記通知を受け取ると、故障が発生した閉域ユーザグループと該グループ内の通信装置を把握して、閉域ユーザグループネットワークの故障を管理することを特徴とする閉域ユーザグループネットワーク管理方法。
【請求項５】
ネットワークを構成する複数の通信装置を複数の管理ドメインに分け、各管理ドメインをそれぞれ管理する装置管理システムと、各装置管理システムを統合して管理するネットワーク管理システムとを設けたネットワークシステム上で、それぞれ別個の管理ドメインに存在する複数の通信装置により構成される仮想的な閉域ユーザグループを管理する装置であって、
上記ネットワーク管理システムには、
上記閉域ユーザグループの識別番号毎に、当該閉域ユーザグループを構成する通信装置の識別番号と、当該通信装置を管理する装置管理システムの識別番号を対応付けるネットワーク管理テーブル手段と、
閉域ユーザグループ番号等をキーとして上記ネットワーク管理テーブル手段で対応付けた関連情報を検索するテーブル検索手段と、
接続された装置管理システムに対して情報の検索と設定を行い、あるいはトラップ、イベントを含む該装置管理システムからの装置アラームを受信する情報検索・設定またはアラーム送受信手段とを備え、
上記装置管理システムには、
自システムが管理する通信装置の識別番号毎および当該通信装置の各インタフェースの識別番号毎に、当該通信装置が所属する閉域ユーザグループの識別番号と当該インタフェースで当該通信装置に接続されるユーザ端末のＭＡＣアドレスとを対応付ける装置管理テーブル手段と、
閉域ユーザグループの識別番号、インタフェースの識別番号等をキーに上記装置管理テーブル手段で対応付けた関連情報を検索するテーブル検索手段と、
接続されたネットワーク管理システムに対して情報の検索、設定の要求を受け付けて、それらの結果を応答し、あるいはトラップ、イベントを含む通信装置からの装置アラームをネットワーク管理システムに送信する情報検索・設定またはアラーム送受信手段とを備え、
上記ネットワーク管理システムにおいて、上記テーブル検索手段により上記ネットワーク管理テーブル手段の対応付け参照して、管理対象の閉域ユーザグループに属する各通信装置を検索し、検索した各通信装置を管理するそれぞれの装置管理システムに対して管理情報の取得を要求し、上記装置管理システムにおいて、上記ネットワーク管理システムから要求された各通信装置の管理情報を取得して上記ネットワーク管理システムに応答することにより、上記ネットワーク管理システムと上記各管理ドメインを管理する装置管理システムの組み合わせのみで、閉域ユーザグループネットワークの構成または状態、あるいは故障を管理することを特徴とする閉域ユーザグループネットワーク管理装置。
【発明の詳細な説明】
【０００１】
【発明の属する技術分野】
本発明は、ネットワークを構成する複数の通信装置（Ｎｅｔｗｏｒｋ  Ｅｌｅｍｅｎｔ：ＮＥ）を複数の管理ドメインに分け、各管理ドメインをそれぞれ別々の装置管理システム（Ｅｌｅｍｅｎｔ  Ｍａｎａｇｅｍｅｎｔ  Ｓｙｓｔｅｍ：ＥＭＳ）で管理し、さらにこれらＥＭＳを統合的にネットワーク管理システム（Ｎｅｔｗｏｒｋ  Ｍａｎａｇｅｍｅｎｔ  Ｓｙｓｔｅｍ：ＮＭＳ）で管理するシステムにおいて、別個の管理エリアに存在する複数のＮＥにより構成される仮想的な閉域ユーザグループ（Ｃｌｏｓｅｄ  Ｕｓｅｒ  Ｇｒｏｕｐ：ＣＵＧ）を管理するための閉域ユーザグループネットワーク管理方法及びその装置に関する。
【０００２】
【従来の技術】
従来のネットワークシステムにおいては、複数のユーザ端末を管理ドメインに分け、装置管理システム（ＥＭＳ）で管理する第１のネットワークシステムと、上記ＥＭＳが管理する別個のドメインにまたがって仮想的なネットワークを構成する第２のネットワークシステムとがあった。
図７は、従来の第１のネットワークシステムにおける管理装置の接続図である。
図７において、Ａ１はネットワーク管理システム（ＮＭＳ）、Ｂ１，Ｂ２，Ｂｎはそれぞれ装置管理システム（ＥＭＳ）ＮＥ−１〜ＮＥ−ｍはネットワークシステムを構成する通信装置（ＮＥ）、ＭＡＣ１〜ＭＡＣｊはユーザ端末、Ｄ１〜Ｄｎはそれぞれ装置管理システムＢ１〜Ｂｎの管理ドメインである。ここでは、管理ドメインＤ１には通信装置ＮＥ−１〜ＮＥ−３が所属し、管理ドメインＤ２にはＮＥ−４〜ＮＥ−６が所属し、管理ドメインＤｎにはＮＥ−ｍが所属し、さらに各管理ドメインＮＥにはそれぞれユーザ端末ＭＡＣ−１〜ＭＡＣｊが接続される。
このような第１のネットワークシステムにおいては、ネットワーク管理システム（ＮＭＳ）がインタフェース情報等の特定の通信装置（ＮＥ）に関する情報を取得したい場合には、その通信装置（ＮＥ）を管理している装置管理システム（ＥＭＳ）に該当する通信装置（ＮＥ）の情報を要求していた。また、通信装置（ＮＥ）からのトラップやイベント等の装置アラーム情報（例えば、インタフェースダウン等）は、装置管理システム（ＥＭＳ）が自分の管理ドメイン内の情報を纏めて、ネットワーク管理システム（ＮＭＳ）に通知していた。
【０００３】
図８は、従来の第２のネットワークシステムにおける管理装置の接続図である。
閉域ユーザグループ（ＣＵＧ）は、図７に示すネットワークシステム上で装置管理システムが管理するドメインをまたがって仮想的なネットワークを構成する。
図８において、Ｃ１，Ｃ２は前述のネットワークシステム上に構築された閉域ユーザグループ（ＣＵＧ）、ＮＥ−１〜ＮＥ−ｍはネットワークシステムを構成する通信装置（ＮＥ）であると同時に、特定の閉域ユーザグループ（ＣＵＧ）を構成する通信装置（ＮＥ）、ＭＡＣ１〜ＭＡＣｊはユーザ端末、またＥ１，Ｅ２は閉域ユーザグループ（ＣＵＧ）のＣ１，Ｃ２を個別に管理するＣＵＧ管理用ネットワーク管理システム（ＮＭＳ）である。
上述のようなネットワークシステムでは、閉域ユーザグループ（ＣＵＧ）Ｃ１，Ｃ２を構成する通信装置ＮＥ−１，ＮＥ−２，ＮＥ−４は装置管理システム（ＥＭＳ）の管理ドメインＤ１と別の管理ドメインＤ２とにまたがって構成されるので、装置管理システムＥＭＳ１，ＥＭＳ２の配下で管理されるのではなく、閉域ユーザグループ（ＣＵＧ）毎に配置されるＣＵＧ管理用ＮＭＳであるＣＵＧ１管理用ＮＭＳ・Ｅ１で管理される。
従来の第２のネットワークシステムでは、ＣＵＧ管理用ＮＭＳが特定の通信装置ＮＥの情報（例えば、インタフェースの状態等）を取得する場合には、ＣＵＧ管理用ＮＭＳから直接、その通信装置（ＮＥ）に対して情報を要求していた。また、通信装置ＮＥからのトラップやイベント等の装置アラーム（インタフェースダウン等）も同じようにＣＵＧ管理用ＮＭＳに通知していた。
【０００４】
【発明が解決しようとする課題】
このように、従来の第１のネットワークシステムでは、装置管理システム（ＥＭＳ）は自分の管理ドメイン内の通信装置（ＮＥ）のみを管理し、他の装置管理システム（ＥＭＳ）の管理ドメイン内の通信装置（ＮＥ）は管理していなかった。それ故に、ネットワークシステムを構成する通信装置（ＮＥ）が装置管理システム（ＥＭＳ）が管理するドメインをまたがるＣＵＧネットワークを装置管理システム（ＥＭＳ）が管理することはできなかった。
また、ネットワーク管理システム（ＮＭＳ）は、ネットワークを構成する全ての通信装置（ＮＥ）を利用してサービスを提供するネットワークを、ネットワークシステムの装置管理システム（ＥＭＳ）の管理ドメインにより管理していた。それ故に、ネットワークシステムの構成に依存せず、いくつかの通信装置（ＮＥ）を仮想的にグループ化してサービスを提供するＣＵＧネットワークをネットワーク管理システム（ＮＭＳ）で管理することはできなかった。
一方、従来の第２のネットワークシステムでは、前述のように、ＣＵＧ管理用ＮＭＳはネットワーク管理システム（ＮＭＳ）や装置管理システム（ＥＭＳ）とは別に、閉域ユーザグループ（ＣＵＧ）毎に配置されている。それ故に、ネットワークシステムの全体の管理システム数が増大する。また、通信装置（ＮＥ）は、装置管理システム（ＥＭＳ）とＣＵＧ管理用ＮＭＳとの両方から管理され、複数の管理システムにより管理される。それ故に、通信装置（ＮＥ）に排他制御等の特別な機能追加が必要であり、装置管理システム（ＥＭＳ）とＣＵＧ管理用ＮＭＳで通信装置（ＮＥ）の状態や構成等の同一の管理情報を保持するため、ネットワーク全体では管理情報が冗長であった。
そこで、本発明の目的は、このような従来の課題を解決し、ネットワークシステム全体の管理システム数を増大させず、また通信装置（ＮＥ）に特別な機能追加を必要とせず、またネットワークシステム全体で冗長な管理情報を持つ必要がなく、ＣＵＧネットワークを管理することが可能な閉域ユーザグループネットワーク管理方法及びその装置を提供することにある。
【０００５】
【課題を解決するための手段】
上記目的を達成するため、本発明の閉域ユーザグループネットワーク管理方法では、▲１▼ＣＵＧネットワークの構成または状態を管理する場合、ネットワーク管理システム（ＮＭＳ）はＣＵＧ番号をキーにして構成ＮＥを検索し、その検索結果である通信装置（ＮＥ）番号に対応する装置管理システム（ＥＭＳ）番号の装置管理システムに対して情報取得を要求する。
これにより、ネットワーク管理システム（ＮＭＳ）と装置管理システム（ＥＭＳ）に設けた管理テーブル手段を基にして、ネットワーク管理システム（ＮＭＳ）と装置管理システム（ＥＭＳ）のみで閉域ユーザグループ（ＣＵＧ）を管理し、ＣＵＧ管理用ＮＭＳを新たに配置する必要がないため、ネットワークシステム全体の管理システム数は元々の第１のネットワークシステムの管理システム数と同数のまま、ＣＵＧネットワークの管理が可能となる。
また、▲２▼ネットワーク管理システム（ＮＭＳ）から情報取得要求を受信した装置管理システム（ＥＭＳ）は、自管理ドメイン内の指定された通信装置（ＮＥ）番号毎にＣＵＧ番号をキーにインタフェース番号を検索する。ネットワーク管理システム（ＮＭＳ）からの情報取得要求が構成管理に関する場合には、その検索結果であるインタフェース番号に対応するユーザ端末のＭＡＣアドレスをネットワーク管理システム（ＮＭＳ）に応答する。ネットワーク管理システム（ＮＭＳ）からの情報取得要求が状態管理に関する場合には、装置管理システム（ＥＭＳ）は該当する全ての通信装置（ＮＥ）に対してインタフェースの状態等の情報取得を要求し、その応答を通信装置（ＮＥ）から受信してネットワーク管理システム（ＮＭＳ）に応答する。ネットワーク管理システム（ＮＭＳ）が該当する全ての装置管理システム（ＥＭＳ）に対して情報取得を要求することにより、閉域ユーザグループ（ＣＵＧ）に属する全ユーザ端末の情報や通信装置（ＮＥ）のインタフェース状態等の情報を取得することにより、ＣＵＧネットワークの構成または状態を管理する。
これにより、ＣＵＧネットワーク数が増大しても、ネットワーク管理システム（ＮＭＳ）と装置管理システム（ＥＭＳ）の管理システム数は同じ状態のまま、ＣＵＧネットワークの管理が可能になる。
【０００６】
また、▲３▼ＣＵＧネットワークの故障を管理する場合には、装置管理システム（ＥＭＳ）は通信装置（ＮＥ）から装置アラーム（通信装置（ＮＥ）番号とインタフェース番号、状態）を受信すると、通信装置（ＮＥ）番号とインタフェース番号をキーとして該当するＣＵＧ番号を検索し、装置アラームの情報にＣＵＧ番号を付加して、ネットワーク管理システム（ＮＭＳ）に通知する。ネットワーク管理システム（ＮＭＳ）は、その通知によりどの閉域ユーザグループ（ＣＵＧ）のどの通信装置（ＮＥ）で故障が発生したかを把握し、ＣＵＧネットワークの故障を管理する。
これにより、通信装置（ＮＥ）に対して情報の検索や設定を行ったり、トラップやイベント等の通信装置（ＮＥ）からの装置アラームの受信は、装置管理システム（ＥＭＳ）の情報検索・設定またはアラーム受信手段のみであり、ＣＵＧ管理用ＮＭＳを新たに配置することなく、通信装置（ＮＥ）を複数の管理システムで管理しないので、通信装置（ＮＥ）に排他制御等の特別な機能追加を行うことなく、ＣＵＧネットワークの管理が可能になる。
【０００７】
さらに、本発明の閉域ユーザグループネットワーク管理装置では、▲４▼ネットワーク管理システム（ＮＭＳ）に、
ＣＵＧ番号とＮＥ番号とＷＭＳ番号とを対応付けるＮＭＳ管理テーブル手段と、
ＣＵＧ番号等をキーに関連情報を検索するテーブル検索手段と、
装置管理システム（ＥＭＳ）に対して情報の検索や設定を行い、またトラップやイベント等のＥＭＳからの装置アラームを受信する情報検索・設定またはアラーム受信手段とを設け、装置管理システム（ＥＭＳ）には、
ＮＥ番号とインタフェース番号とＣＵＧ番号とユーザ端末のＭＡＣアドレスを対応付けるＥＭＳ管理テーブル手段と、
ＣＵＧ番号やインタフェース番号等をキーに関連情報を検索するテーブル検索手段と、
通信装置（ＮＥ）に対して情報の検索や設定を行い、またトラップやイベント等の通信装置（ＮＥ）からの装置アラームを受信し、またはネットワーク管理システム（ＮＭＳ）に対して情報の検索や設定の要求を受付け、その結果を応答し、あるいはトラップやイベント等の通信装置（ＮＥ）からの装置アラームをネットワーク管理システム（ＮＭＳ）に送信する情報検索・設定またはアラーム送受信手段とを設ける。
これにより、ネットワーク管理システム（ＮＭＳ）と装置管理システム（ＥＭＳ）の管理テーブル手段にＣＵＧネットワークに関する情報をそれぞれ保持するが、両方のテーブル手段に共通の情報はＣＵＧ番号とＮＥ番号の対応情報のみであり、他の情報は重複した情報ではないので、ネットワークシステム全体では管理情報をできる限り冗長して持たないようにして、ＣＵＧネットワークの管理が可能となる。
【０００８】
【発明の実施の形態】
以下、本発明の実施例を、図面により詳細に説明する。
図１は、本発明の一実施例を示すネットワーク管理装置の構成図である。
図１では、ネットワーク管理システム（ＮＭＳ）と装置管理システム（ＥＭＳ）の構成について示している。本実施例においては、ネットワーク管理システム（ＮＭＳ）が下記の構成要素から構成される。
すなわち、ＣＵＧ番号とＮＥ番号とＥＭＳ番号とを対応付けるＮＭＳ管理テーブル手段１０と、ＣＵＧ番号等をキーに関連情報を検索するテーブル検索手段１１と、装置管理システム（ＥＭＳ）に対して情報の検索や設定を行い、またトラップやイベント等の装置管理システム（ＥＭＳ）からの装置アラームを受信し、ＣＵＧまたは装置情報を装置管理システム（ＥＭＳ）に送信する情報検索・設定またはアラーム送受信手段１２とから構成される。
また、装置管理システム（ＥＭＳ）は、ＮＥ番号とインタフェース番号とＣＵＧ番号とユーザ端末のＭＡＣアドレスとを対応付けるＥＭＳ管理テーブル手段２０と、ＣＵＧ番号やインタフェース番号等をキーとして関連情報を検索するテーブル検索手段２１と、通信装置（ＮＥ）に対して情報の検索や設定を行い、トラップやイベント等の通信装置（ＮＥ）からの装置アラームを受信し、あるいはネットワーク管理システム（ＮＭＳ）に対して情報の検索や設定の要求を受付け、これに応答し、あるいはトラップやイベント等の通信装置（ＮＥ）からの装置アラームをネットワーク管理システム（ＮＭＳ）に送信する情報検索・設定／アラーム送受信手段２２とから構成される。
装置管理システム（ＥＭＳ）と通信装置（ＮＥ）との間では、伝送路を介してＣＵＧ／装置の情報伝達が行われる。
【０００９】
図２は、本発明の一実施例を示す管理装置を有するネットワークシステムの接続図であり、図５は、図１におけるネットワーク管理システム（ＮＭＳ）のＮＭＳ管理テーブル手段の内容を示す図であり、また図６は、同じく装置管理システム（ＥＭＳ）のＥＭＳ管理テーブル手段の内容を示す図である。
図２のネットワークシステムでは、ネットワーク管理システム（ＮＭＳ）Ａ１′でＣＵＧネットワーク構成管理に関する処理要求が受け付けられると、ネットワーク管理システム（ＮＭＳ）では、テーブル検索手段によりＮＭＳ管理テーブル手段１０に対してＣＵＧ番号、ＣＵＧ１をキーにして構成ＮＥを検索する。図５に示すように、ＮＭＳ管理テーブル手段１０の内容は、ＣＵＧ番号とＮＥ番号とＥＭＳ番号の対応表から構成されており、ＣＵＧ１に対応する構成ＮＥが検索される。
その検索結果として、ＮＥ番号、ＮＥ−１、ＮＥ−２、ＮＥ−４が得られる。また、ＮＥ番号に対応するＥＭＳ番号も合わせて得ることができる。本実施例では、ＥＭＳ１（Ｂ１′）とＥＭＳ２（Ｂ２′）が得られる。ネットワーク管理システム（ＮＭＳ）は情報検索・設定／アラーム送受信手段１２により、装置管理システム（ＥＭＳ１）に対してＮＥ−１とＮＥ−２のＣＵＧ１に対応するユーザ端末のＭＡＣアドレスの情報取得を、また装置管理システム（ＥＭＳ２）に対してＮＥ−４のＣＵＧ１に対応するユーザ端末のＭＡＣアドレスの情報取得を要求する。
【００１０】
装置管理システム（ＥＭＳ１）では、情報検索・設定／アラーム送受信手段２２によりネットワーク管理システム（ＮＭＳ）から送信された情報取得の要求を受け付けると、テーブル検索手段２１よりＥＭＳ管理テーブル手段２０に対して自管理ドメイン内の指定されたＮＥ番号、ＮＥ−１およびＮＥ−２毎にＣＵＧ１をキーにインタフェース番号を検索する。ＥＭＳ管理テーブル手段２０の内容は、図６に示すように、ＮＥ番号とインタフェース番号とＣＵＧ番号とユーザ端末のＭＡＣアドレスの対応表から構成されており、各通信装置ＮＥ−１，ＮＥ−２毎にＣＵＧ１をキーとしてインタフェース番号とユーザ端末のＭＡＣアドレスが検索される。
その検索結果として、通信装置（ＮＥ−１）に関してはインタフェース番号ＩＦ１とＩＦ２が得られる。また、インタフェース番号に対応するユーザ端末のＭＡＣアドレスとして、すなわちＩＦ１ではＭＡＣ１とＭＡＣ２、ＩＦ２ではＭＡＣ３も得られる。同じように、装置管理システム（ＮＥ−２）に関してはＩＦ１とＭＡＣ４，ＭＡＣ５が得られる。
装置管理システム（ＥＭＳ１）は、情報検索・設定／アラーム送受信手段２２により、ネットワーク管理システム（ＮＭＳ）に対して情報取得の要求の応答として、ＭＡＣ１、ＭＡＣ２、ＭＡＣ３、ＭＡＣ４、ＭＡＣ５を送信する。
装置管理システム（ＥＭＳ２）でも、前述の装置管理システム（ＥＭＳ２）と同じように、テーブル検索手段２１、ＥＭＳ管理テーブル手段２０により閉域ユーザグループ（ＣＵＧ１）に関するユーザ端末のＭＡＣアドレスが検索され、情報検索・設定／アラーム送受信手段２２によりネットワークＤＭＡ（ＮＭＳ）に対してＭＡＣ６を応答する。
上述のような制御態様を採用すれば、ネットワーク管理システム（ＮＭＳ）と装置管理システム（ＥＭＳ１，ＥＭＳ２）に設けた管理テーブル手段を基にして、ネットワーク管理システム（ＮＭＳ）と装置管理システム（ＥＭＳ１，ＥＭＳ２）のみで閉域ユーザグループ（ＣＵＧ１）を管理することができるので、ＣＵＧ管理用ＮＭＳ１を新たに配置する必要がなく、ネットワークシステム全体の管理システム数を増大させずに、閉域ユーザグループ（ＣＵＧ）ネットワークの管理が可能となる。
【００１１】
また、閉域ユーザグループ（ＣＵＧ２）を管理する場合でも、ネットワーク管理システム（ＮＭＳ）と装置管理システム（ＥＭＳ１）等に設けた管理テーブル手段１０，２０のテーブルエントリのみが増大するだけであるため、ネットワーク管理システム（ＮＭＳ）と装置管理システム（ＥＭＳ１）の管理システム数を増大させることなく、ＣＵＧネットワークの管理が可能となる。
通信装置（ＮＥ−１）に対して情報の検索や設定を行い、トラップやイベント等の通信装置（ＮＥ）からの装置アラームを受信するのは、装置管理システム（ＥＭＳ１）の情報検索・設定／アラーム受信手段のみであり、ＣＵＧ管理用ＮＭＳ１を新たに配置する必要がないため、通信装置（ＮＥ−１）を複数の管理システムで管理することがなく、また通信装置（ＮＥ−１）に排他制御等の特別な機能追加をすることもなく、ＣＵＧネットワークの管理が可能となる。
ネットワーク管理システム（ＮＭＳ）と装置管理システム（ＥＭＳ１，ＥＭＳ２）の管理テーブル手段１０，２０には閉域ユーザグループ（ＣＵＧ１）に関する情報をそれぞれ保持するが、両方のテーブル手段１０，２０で共通の情報はＣＵＧ番号、ＣＵＧ１とＮＥ−１，ＮＥ−２及びＮＥ−４の対応情報のみであり、他の情報は重複した情報ではないので、ネットワークシステム全体で管理情報をできる限り冗長なものを持たずに、ＣＵＧネットワークの管理が可能となる。
なお、上記の実施例は図１に示す構成のネットワークについての説明であるが、本発明はこれに限定されるものではない。
【００１２】
図３は、本発明の一実施例を示すネットワーク管理システム（ＮＭＳ）の処理フローチャートである。
ネットワーク管理システム（ＮＭＳ）では、ＣＵＧネットワークの管理に関する処理、あるいはＣＵＧネットワークに関する装置アラームを受信した時の処理以外は通常の処理を行っている（ステップ１０３）。ネットワーク管理システム（ＮＭＳ）は、ＣＵＧネットワークの構成／状態を管理する場合には（ステップ１０１）、ＣＵＧ番号をキーにして構成ＮＥを検索し、その検索結果であるＮＥ番号に対応するＥＭＳ番号の装置管理システム（ＥＭＳ）に対して情報取得を要求する（ステップ１０４，１０５）。ネットワーク管理システム（ＮＭＳ）は、該当する全ての装置管理システム（ＥＭＳ）に対して情報取得を要求し、応答を受信するまで繰り返す（ステップ１０６，１０７）。全ての装置管理システム（ＥＭＳ）から情報を検索することにより、閉域ユーザグループ（ＣＵＧ）に属する全ユーザ端末の情報や通信装置（ＮＥ）のインタフェースの状態の情報を取得し、その結果を表示して、ＣＵＧネットワークの構成／状態を管理する。その後は、通常の処理に復帰する（ステップ１０８，１０３）。
次に、ネットワーク管理システム（ＮＭＳ）では、装置管理システム（ＥＭＳ）から装置アラームを受信すると（ステップ１０２）、その通知によりどの閉域ユーザグループ（ＣＵＧ）のどの通信装置（ＮＥ）で故障が発生したかを把握し、ＣＵＧネットワークの故障を管理する。例えば、ＣＵＧ番号とアラーム情報を表示する（ステップ１０９）。
【００１３】
図４は、本発明の一実施例を示す装置管理システム（ＥＭＳ）の処理フローチャートである。
装置管理システム（ＥＭＳ）では、ネットワーク管理システム（ＮＭＳ）からＣＵＧネットワークの構成管理に関する情報検索・設定要求を受信するか、あるいは通信装置（ＮＥ）からＣＵＧネットワークに関する装置アラームを受信する以外には、通常の処理を行っている（ステップ２０３）。
装置管理システム（ＥＭＳ）では、ネットワーク管理システム（ＮＭＳ）からＣＵＧネットワークの構成管理に関する情報検索・設定要求を受信すると（ステップ２０１，２１１）、自管理ドメイン内の指示されたＮＥ番号毎にＣＵＧ番号をキーとしてインタフェース番号を検索する（ステップ２１２）。装置管理システム（ＥＭＳ）は、その検索結果であるインタフェース番号に対応するユーザ端末のＭＡＣアドレスを抽出し（ステップ２１３）、ネットワーク管理システム（ＮＭＳ）に応答する（ステップ２０８）。その後は、通常の処理に復帰する（ステップ２０３）。
【００１４】
装置管理システム（ＥＭＳ）では、ネットワーク管理システム（ＮＭＳ）からＣＵＧネットワークの状態管理に関する情報検索・設定要求を受信すると（ステップ２１１）、自管理ドメイン内の指定されたＮＥ番号毎にＣＵＧ番号をキーとしてインタフェース番号を検索する（ステップ２０４）。
装置管理システム（ＥＭＳ）は、該当する全ての通信装置（ＮＥ）に対してインタフェースの状態等の情報取得を要求し、応答を受信するまで繰り返す（ステップ２０５，２０６，２０７）。
次に、その検索結果であるインタフェース番号に対応する状態情報をネットワーク管理システム（ＮＭＳ）に応答する（ステップ２０８）。その後は、通常の処理に復帰する（ステップ２０３）。
装置管理システム（ＥＭＳ）では、通信装置（ＮＥ）から装置アラーム（ＮＥ番号とインタフェース番号、状態）を受信すると（ステップ２０２）、先ず、ＮＥ番号とインタフェース番号をキーにして該当するＣＵＧ番号を検索する（ステップ２０９）。次に、その検索結果であるＣＵＧ番号を装置アラームの情報に付加し、ネットワーク管理システム（ＮＭＳ）に通知し（ステップ２１０）、その後は通常の処理に復帰する（ステップ２０３）。
【００１５】
【発明の効果】
以上説明したように、本発明によれば、▲１▼ネットワークシステム全体の管理システム数を増加させずに、閉域ユーザグループ（ＣＵＧ）ネットワークを管理することができる。また、▲２▼通信装置（ＮＥ）に特別な機能追加を行わずに、ＣＵＧネットワークを管理するネットワークを実現することができる。また、▲３▼ネットワークシステム全体で冗長な管理情報をできる限り持たないようなＣＵＧネットワーク管理システムを実現することができる。また、▲４▼ネットワーク管理システム（ＮＭＳ）と装置管理システム（ＥＭＳ）は、全通信装置（ＮＥ）を利用してサービスを提供するネットワークと、ネットワークの構成に依存せずに、いくつかの通信装置（ＮＥ）を仮想的にグループ化してサービスを提供する閉域ユーザグループ（ＣＵＧ）ネットワークの両方を同時に管理することができる。さらに、▲５▼ユーザ端末のＭＡＣアドレスを管理することにより、収容能力を越える閉域ユーザグループ（ＣＵＧ）の分割等、ＣＵＧ再構成を行うことができる。
【図面の簡単な説明】
【図１】本発明の一実施例を示すネットワーク管理システムと装置管理システムの構成図である。
【図２】本発明の一実施例を示すネットワークシステムの全体構成図である。
【図３】本発明の一実施例を示すネットワーク管理システムの処理フローチャートである。
【図４】本発明の一実施例を示す装置管理システムの処理フローチャートである。
【図５】図１におけるＮＭＳ管理テーブル手段の内容を示す構成図である。
【図６】図１におけるＥＭＳ管理テーブル手段の内容を示す構成図である。
【図７】従来のネットワークシステムのネットワーク管理接続を示す図である。
【図８】従来のネットワークシステムのＭＡＣ−ＣＵＧネットワーク管理接続を示す図である。
【符号の説明】
ＮＭＳ…ネットワーク管理システム、ＥＭＳ…装置管理システム、
ＮＥ…通信装置、１０…ＮＭＳ管理テーブル手段、１１…テーブル検索手段、
１２…情報検索・設定／アラーム送受信手段、２０…ＥＭＳ管理テーブル手段、
２１…テーブル検索手段、２２…情報検索・設定／アラーム送受信手段、
Ｄ１′，Ｄ２′，Ｄｎ′…Ｂ１′，Ｂ２′，Ｂｎ′が管理するＥＭＳ管理ドメイン、
Ｃ１′，Ｃ２′…Ｂ１′，Ｂ２′が管理する閉域ユーザグループ、
ＭＡＣ１〜ＭＡＣ５…メディア・アクセス制御アドレス。
【図１】
0003582002.tif 000002
【図２】
0003582002.tif 000003
【図３】
0003582002.tif 000004
【図４】
0003582002.tif 000005
【図５】
0003582002.tif 000006
【図６】
0003582002.tif 000007
【図７】
0003582002.tif 000008
【図８】
0003582002.tif 000009